(57)【要約】【課題】マッサージ器が、ハウジングに内有されたソレノイドの磁力とばねの付勢力とにより、人体に接触可能とされる接触子を振動させるようにしたものである場合に、マッサージ器を用いて、人体のマッサージをするに際し、マッサージのための操作が円滑に達成できるようにする。【解決手段】マッサージ器１は、軸心５が前後方向に延びるハウジング６に内有されて前後に移動可能とされる可動体７と、ハウジング６に内有され、可動体７を磁力によりハウジング６の後端部１１側に向けて吸引可能とするソレノイド２０と、ソレノイド２０の吸引力に対抗して可動体７をハウジング６の前端部９側に向けて付勢するばね２１と、可動体７の前端部に取り付けられて人体２に接触可能とされる接触子２２とを備える。ハウジング６の後端部１１の端面に取り付けられ、操作者２７に把持可能とされるグリップ２８を設ける。【選択図】図１
2009034476.tif 000002
【特許請求の範囲】
【請求項１】
軸心が前後方向に延び、後端部側の開口が閉じられたハウジングと、このハウジングに内有されて前後に移動可能となるようこのハウジングに支持される可動体と、上記ハウジングに内有されると共にこのハウジングに支持され、上記可動体を磁力により上記ハウジングの後端部側に向けて吸引可能とするソレノイドと、このソレノイドによる上記可動体への吸引力に対抗してこの可動体を上記ハウジングの前端部側に向けて付勢するばねと、上記ハウジングの前方で、上記可動体の前端部に取り付けられて人体に接触可能とされる接触子とを備え、上記ソレノイドの励磁、消磁動作と上記ばねの付勢動作とにより、上記可動体が接触子と共に前後に振動するようにしたマッサージ器において、
上記ハウジングの後端部の端面に取り付けられ、操作者に把持可能とされるグリップを設けたことを特徴とするマッサージ器。
【請求項２】
上記グリップが、上記ハウジングの後端部の端面側から後方に延出するハウジング延長部と、このハウジング延長部から上記軸心にほぼ直交する方向に突出するグリップ本体とを備えたことを特徴とする請求項１に記載のマッサージ器。
【請求項３】
上記グリップの内部に空洞部を形成し、上記ソレノイドの電子的な制御装置を操作するスイッチを上記グリップに取り付け、上記制御装置とスイッチとの間に介設されるスイッチ基板を上記空洞部に収容したことを特徴とする請求項１、もしくは２に記載のマッサージ器。
【請求項４】
上記可動体の前端部に対し、上記接触子を弾性体による摩擦接合により着脱可能に取り付けたことを特徴とする請求項１から３のうちいずれか１つに記載のマッサージ器。
【発明の詳細な説明】
【技術分野】
【０００１】
本発明は、ハウジングに内有されたソレノイドの磁力とばねの付勢力とにより、人体に接触可能とされる接触子を振動させるようにしたマッサージ器に関するものである。
【背景技術】
【０００２】
上記マッサージ器には、従来、下記特許文献１に示されるものがある。この公報のものによれば、上記マッサージ器は、軸心が前後方向に延び、後端部側の開口が閉じられたハウジングと、このハウジングに内有されて前後に移動可能となるようこのハウジングに支持される可動体と、上記ハウジングに内有されると共にこのハウジングに支持され、上記可動体を磁力により上記ハウジングの後端部側に向けて吸引可能とするソレノイドと、このソレノイドによる上記可動体への吸引力に対抗してこの可動体を上記ハウジングの前端部側に向けて付勢するばねと、上記ハウジングの前方で、上記可動体の前端部に取り付けられて人体に接触可能とされる接触子とを備えている。
【０００３】
上記マッサージ器の使用に際しては、まず、操作者が上記ハウジングを把持して、上記接触子を人体に押し当てる。そして、この押し当てにより、上記可動体を上記ばねの付勢力に対抗させながら上記ハウジングの後端部側に移動させる。また、これと共に、スイッチをオン操作して上記ソレノイドを励磁し、このソレノイドにより上記可動体を上記ハウジングの後端部側に吸引して、この後端部側に移動させる。
【０００４】
次に、上記スイッチをオフ操作して、上記ソレノイドを消磁させる。すると、上記ソレノイドによる上記可動体の吸引が解除される。このため、上記ばねの付勢力により上記可動体が上記ハウジングの前端部側に急速に移動し、これに連動する上記接触子が人体に打撃を与える。以下、上記操作が繰り返されることにより、人体のマッサージが行われる。
【特許文献１】実開平２−１４９２１６号公報
【発明の開示】
【発明が解決しようとする課題】
【０００５】
ところで、上記マッサージ器において、上記ソレノイドを交流電流により繰り返し励磁、消磁動作させ、このソレノイドの磁力とばねの付勢力とにより上記可動体を振動させ、これに連動する接触子により、人体に振動による打撃を与えるようにすることが考えられる。
【０００６】
しかし、上記のようにした場合には、ハウジング内でソレノイドの温度が上昇して、上記ハウジングを加熱し、これを高温にさせがちとなる。すると、上記ハウジングを把持している操作者にこのハウジングの高熱が伝達されて、マッサージのための操作が阻害されるおそれを生じる。
【課題を解決するための手段】
【０００７】
本発明は、上記のような事情に注目してなされたもので、本発明の目的は、マッサージ器が、そのハウジングに内有されたソレノイドの磁力とばねの付勢力とにより、人体に接触可能とされる接触子を振動させるようにしたものである場合に、このマッサージ器を用いて、人体のマッサージをするに際し、このマッサージのための操作が円滑に達成できるようにすることである。
【０００８】
請求項１の発明は、軸心５が前後方向に延び、後端部１１側の開口が閉じられたハウジング６と、このハウジング６に内有されて前後に移動可能となるようこのハウジング６に支持される可動体７と、上記ハウジング６に内有されると共にこのハウジング６に支持され、上記可動体７を磁力により上記ハウジング６の後端部１１側に向けて吸引可能とするソレノイド２０と、このソレノイド２０による上記可動体７への吸引力に対抗してこの可動体７を上記ハウジング６の前端部９側に向けて付勢するばね２１と、上記ハウジング６の前方で、上記可動体７の前端部に取り付けられて人体２に接触可能とされる接触子２２とを備え、上記ソレノイド２０の励磁、消磁動作と上記ばね２１の付勢動作とにより、上記可動体７が接触子２２と共に前後に振動するようにしたマッサージ器において、
上記ハウジング６の後端部１１の端面に取り付けられ、操作者２７に把持可能とされるグリップ２８を設けたことを特徴とするマッサージ器である。
【０００９】
請求項２の発明は、上記グリップ２８が、上記ハウジング６の後端部１１の端面側から後方に延出するハウジング延長部３０と、このハウジング延長部３０から上記軸心５にほぼ直交する方向に突出するグリップ本体３１とを備えたことを特徴とする請求項１に記載のマッサージ器である。
【００１０】
請求項３の発明は、上記グリップ２８の内部に空洞部３３を形成し、上記ソレノイド２０の電子的な制御装置３６を操作するスイッチ３９，４２を上記グリップ２８に取り付け、上記制御装置３６とスイッチ３９，４２との間に介設されるスイッチ基板３８，４１を上記空洞部３３に収容したことを特徴とする請求項１、もしくは２に記載のマッサージ器である。
【００１１】
請求項４の発明は、上記可動体７の前端部に対し、上記接触子２２を弾性体２４による摩擦接合により着脱可能に取り付けたことを特徴とする請求項１から３のうちいずれか１つに記載のマッサージ器である。
【００１２】
なお、この項において、上記各用語に付記した符号や図面番号は、本発明の技術的範囲を後述の「実施例」の項や図面の内容に限定解釈するものではない。
【発明の効果】
【００１３】
本発明による効果は、次の如くである。
【００１４】
請求項１の発明は、軸心が前後方向に延び、後端部側の開口が閉じられたハウジングと、このハウジングに内有されて前後に移動可能となるようこのハウジングに支持される可動体と、上記ハウジングに内有されると共にこのハウジングに支持され、上記可動体を磁力により上記ハウジングの後端部側に向けて吸引可能とするソレノイドと、このソレノイドによる上記可動体への吸引力に対抗してこの可動体を上記ハウジングの前端部側に向けて付勢するばねと、上記ハウジングの前方で、上記可動体の前端部に取り付けられて人体に接触可能とされる接触子とを備え、上記ソレノイドの励磁、消磁動作と上記ばねの付勢動作とにより、上記可動体が接触子と共に前後に振動するようにしたマッサージ器において、
上記ハウジングの後端部の端面に取り付けられ、操作者に把持可能とされるグリップを設けている。
【００１５】
ここで、上記ソレノイドへの交流電流の供給により、上記可動体が接触子と共に振動する場合には、上記ハウジング内で上記ソレノイドの温度が上昇し、上記ハウジングが加熱されて高温にされがちとなる。
【００１６】
しかし、上記したように、操作者が把持するグリップは上記ハウジングとは別体に設けられているため、上記ハウジングの高熱が上記操作者の手に伝達されることは抑制される。よって、上記ハウジングの高熱によりマッサージ器によるマッサージの操作が阻害される、ということは防止され、この操作は円滑に達成できる。
【００１７】
また、上記ハウジングに加えてグリップを設け、このグリップを上記ハウジングの後端部の端面に取り付けたため、上記ハウジング内の可動体が接触子と共に前後に振動するときの反動が上記グリップを把持する操作者の手に与えられることは、上記グリップの質量によって効果的に防止される。よって、上記マッサージ器によるマッサージの操作は、より円滑に達成できる。
【００１８】
請求項２の発明は、上記グリップが、上記ハウジングの後端部の端面側から後方に延出するハウジング延長部と、このハウジング延長部から上記軸心にほぼ直交する方向に突出するグリップ本体とを備えている。
【００１９】
このため、上記グリップはガンタイプとなって、操作者の手による把持がよりし易くなる。よって、上記マッサージ器によるマッサージの操作が更に円滑に達成できる。
【００２０】
請求項３の発明は、上記グリップの内部に空洞部を形成し、上記ソレノイドの電子的な制御装置を操作するスイッチを上記グリップに取り付け、上記制御装置とスイッチとの間に介設されるスイッチ基板を上記空洞部に収容している。
【００２１】
このため、上記マッサージ器のグリップ、各スイッチ、および各スイッチ基板がコンパクトに組み付けられて、このマッサージ器の操作者による取り扱いが容易にできる。よって、上記マッサージ器によるマッサージの操作がより円滑に達成できる。
【００２２】
また、上記したように、各スイッチ基板はグリップ内の空洞部に収容されるため、上記各スイッチ基板は、上記操作者などからの外力に対し上記グリップにより保護されると共に、上記したハウジングの高熱に対しても保護される。よって、マッサージ器の寿命の向上が達成される。
【００２３】
請求項４の発明は、上記可動体の前端部に対し、上記接触子を弾性体による摩擦接合により着脱可能に取り付けている。
【００２４】
このため、上記可動体の前端部への接触子の着脱操作は、これを締結などによってするようにした場合に比べ、ワンタッチ式に極めて容易にできる。よって、その分、上記マッサージ器によるマッサージの操作が更に容易にできる。
【発明を実施するための最良の形態】
【００２５】
本発明のマッサージ器に関し、マッサージ器が、そのハウジングに内有されたソレノイドの磁力とばねの付勢力とにより、人体に接触可能とされる接触子を振動させるようにしたものである場合に、このマッサージ器を用いて、人体のマッサージをするに際し、このマッサージのための操作が円滑に達成できるようにする、という目的を実現するため、本発明を実施するための最良の形態は、次の如くである。
【００２６】
即ち、マッサージ器は、軸心が前後方向に延び、後端部側の開口が閉じられたハウジングと、このハウジングに内有されて前後に移動可能となるようこのハウジングに支持される可動体と、上記ハウジングに内有されると共にこのハウジングに支持され、上記可動体を磁力により上記ハウジングの後端部側に向けて吸引可能とするソレノイドと、このソレノイドによる上記可動体への吸引力に対抗してこの可動体を上記ハウジングの前端部側に向けて付勢するばねと、上記ハウジングの前方で、上記可動体の前端部に取り付けられて人体に接触可能とされる接触子とを備えている。上記ソレノイドの励磁、消磁動作と上記ばねの付勢動作とにより、上記可動体が接触子と共に前後に振動するようにしている。上記ハウジングの後端部の端面に取り付けられ、操作者に把持可能とされるグリップを設けている。
【実施例】
【００２７】
本発明をより詳細に説明するために、その実施例を添付の図に従って説明する。
【００２８】
図において、符号１は人体２をマッサージするときに用いられるマッサージ器である。なお、上記マッサージとは、人体２の筋肉に対し振動による打撃を与える他、脊椎などの骨に対するものも含まれる。また、説明の便宜上、図中矢印Ｆｒの方向を前方として、以下説明する。
【００２９】
上記マッサージ器１は、軸心５が前後方向に延びる樹脂製のハウジング６と、上記軸心５上で、このハウジング６に内有され前後に移動可能となるようこのハウジング６に支持される可動鉄芯である可動体７とを備えている。
【００３０】
上記ハウジング６は、上記軸心５上に位置し、このハウジング６の前端部９側を構成する円筒形状のハウジング本体１０と、上記ハウジング６の後端部１１を構成し、上記ハウジング本体１０の後端に締結されてこのハウジング本体１０の後端の開口を閉じる蓋体１２とを備えている。また、上記可動体７は、上記軸心５上に配置され、前、後一対の金属製ブッシュ１４，１５により前後に移動可能となるよう上記ハウジング６に支持されるステンレス製主軸１６と、この主軸１６に外嵌されて締結される鉄製円筒体１７とを備えている。
【００３１】
上記軸心５の軸方向で、上記両ブッシュ１４，１５のうち、前側のブッシュ１４と可動体７の円筒体１７との間にストッパ１８とＯリングである弾性体１９とが介設され、上記ストッパ１８はハウジング６に固定されている。上記可動体７が所定寸法以上に前方に移動しようとするとき、この可動体７は上記弾性体１９を介しストッパ１８に当接し、それ以上の前方移動が阻止される。
【００３２】
また、上記マッサージ器１は、上記軸心５上で、上記ハウジング６に内有されると共にこのハウジング６に支持され、上記可動体７を磁力により上記ハウジング６の後端部１１側に向けて吸引可能とするソレノイド２０と、このソレノイド２０による可動体７への吸引力に対抗して、この可動体７を上記ハウジング６の前端部９側に向けて付勢するコイルばね２１とを備えている。
【００３３】
また、上記マッサージ器１は、上記ハウジング６の前方で、上記可動体７の主軸１６の前端部に着脱可能に取り付けられて人体２に接触可能とされる接触子２２を備えている。この場合、上記主軸１６の前端部にはゴム製Ｏリングである弾性体２４が嵌着され、上記主軸１６の前端部と弾性体２４とに上記接触子２２が嵌脱可能とされている。そして、上記主軸１６の前端部と弾性体２４とに外嵌した接触子２２は、上記弾性体２４による摩擦接合により、上記主軸１６の前端部に着脱可能に取り付けられている。
【００３４】
より具体的には、上記接触子２２は、人体２に向かって二又に開く形状とされ、上記主軸１６の前端部に対し、その軸心５周りで所望回動角に回動可能とされている（図２中実線、一点鎖線）。また、上記接触子２２は種々の形状のものが準備され、適宜、選択的に上記主軸１６の前端部に取り付け可能とされている。
【００３５】
更に、上記マッサージ器１は、上記ハウジング６の後端部１１の端面に左右一対の締結具２６，２６により取り付けられ、操作者２７の手２７ａにより把持可能とされる樹脂製のグリップ２８を備えている。
【００３６】
上記グリップ２８は、上記ハウジング６の後端部１１の端面側から後方に延出するハウジング延長部３０と、このハウジング延長部３０から上記軸心５にほぼ直交する方向（下方）に一体的に突出して上記手２７ａに把持されるグリップ本体３１とを備え、全体としてガンタイプとされている。
【００３７】
上記グリップ２８のハウジング延長部３０とグリップ本体３１との各内部には、互いに連通する空洞部３３が形成されている。上記ソレノイド２０に対し電線３５により接続され、上記ソレノイド２０を電子的に制御可能とする制御装置３６が設けられている。上記電線３５の上記ソレノイド２０側の端部側は上記グリップ本体３１の延出端部に連結され、かつ、上記空洞部３３を通ると共に蓋体１２を貫通して上記ソレノイド２０に接続されている。
【００３８】
上記制御装置３６には、電源として交流電流が供給される。上記制御装置３６から上記ソレノイド２０に供給される交流電流の周波数を選択可能にするスイッチ基板３８と、上記操作者２７による操作により、上記スイッチ基板３８を作動させるセレクトスイッチ３９とが設けられている。上記スイッチ基板３８は上記空洞部３３に収容されている。また、上記スイッチ３９は、上記ハウジング延長部３０の後端部に取り付けられ、操作者２７の手２７ａの親指で操作可能とされている。
【００３９】
上記制御装置３６からソレノイド２０への電力供給を切断可能とさせるスイッチ基板４１と、上記操作者２７による操作により、上記スイッチ基板４１を作動させるスイッチ４２とが設けられている。上記スイッチ基板４１は上記空洞部３３に収容されている。また、上記スイッチ４２は、上記グリップ本体３１の前上部に取り付けられ、操作者２７の手２７ａの人さし指で操作可能とされている。
【００４０】
上記マッサージ器１の使用に際しては、まず、操作者２７が上記グリップ２８を把持して、上記接触子２２を人体２に押し当てる。この場合、上記ハウジング６の軸心５は水平、縦向き、および傾斜方向のうち、いずれであってもよい。
【００４１】
一方、上記人体２への押し当て時期にかかわらず、上記スイッチ基板３８を操作して、ソレノイド２０に供給される交流電流の周波数を所望値に設定すると共に、上記スイッチ４２をオン操作して、上記ソレノイド２０に電力供給する。すると、上記ソレノイド２０の励磁、消磁動作と上記ばね２１の付勢動作とにより、上記可動体７が接触子２２と共に前後に（上記軸心５の方向で）振動（例えば、２００回／ｓｅｃ）させられる。
【００４２】
そして、上記振動は、人体２に伝達されて、この人体２のマッサージが行われる。
【００４３】
上記構成によれば、ハウジング６の後端部１１の端面に取り付けられ、操作者２７に把持可能とされるグリップ２８を設けている。
【００４４】
ここで、上記ソレノイド２０への交流電流の供給により、上記可動体７が接触子２２と共に振動する場合には、上記ハウジング６内で上記ソレノイド２０の温度が上昇し、上記ハウジング６が加熱されて高温にされがちとなる。
【００４５】
しかし、上記したように、操作者２７が把持するグリップ２８は上記ハウジング６とは別体に設けられているため、上記ハウジング６の高熱が上記操作者２７の手２７ａに伝達されることは抑制される。よって、上記ハウジング６の高熱により、マッサージ器１によるマッサージの操作が阻害される、ということは防止され、この操作は円滑に達成できる。
【００４６】
また、上記ハウジング６に加えてグリップ２８を設け、このグリップ２８を上記ハウジング６の後端部１１の端面に取り付けたため、上記可動体７が接触子２２と共に前後に振動するときの反動が上記グリップ２８を把持する操作者２７の手２７ａに与えられることは、上記グリップ２８の質量によって効果的に防止される。よって、上記マッサージ器１によるマッサージの操作は、より円滑に達成できる。
【００４７】
また、前記したように、グリップ２８が、上記ハウジング６の後端部１１の端面側から後方に延出するハウジング延長部３０と、このハウジング延長部３０から上記軸心５にほぼ直交する方向に突出するグリップ本体３１とを備えている。
【００４８】
このため、上記グリップ２８はガンタイプとなって、操作者２７の手２７ａによる把持がよりし易くなる。よって、上記マッサージ器１によるマッサージの操作が更に円滑に達成できる。
【００４９】
また、前記したように、グリップ２８の内部に空洞部３３を形成し、上記ソレノイド２０の電子的な制御装置３６を操作するスイッチ３９，４２を上記グリップ２８に取り付け、上記制御装置３６とスイッチ３９，４２との間に介設されるスイッチ基板３８，４１を上記空洞部３３に収容している。
【００５０】
このため、上記マッサージ器１のグリップ２８、各スイッチ３９，４２、および各スイッチ基板３８，４１がコンパクトに組み付けられて、このマッサージ器１の操作者２７による取り扱いが容易にできる。よって、上記マッサージ器１によるマッサージの操作がより円滑に達成できる。
【００５１】
また、上記したように、各スイッチ基板３８，４１はグリップ２８内の空洞部３３に収容されるため、上記各スイッチ基板３８，４１は、上記操作者２７などからの外力に対し保護されると共に、上記したハウジング６の高熱に対しても保護される。よって、マッサージ器１の寿命の向上が達成される。
【００５２】
また、前記したように、可動体７の前端部に対し、上記接触子２２を弾性体２４による摩擦接合により着脱可能に取り付けている。
【００５３】
このため、上記可動体７の前端部への接触子２２の着脱操作は、これを締結などによってするようにした場合に比べ、ワンタッチ式に極めて容易にできる。よって、その分、上記マッサージ器１によるマッサージの操作が更に容易にできる。
【００５４】
なお、以上は図示の例によるが、ハウジング６やグリップ２８は金属製としてもよい。
【図面の簡単な説明】
【００５５】
【図１】図２の部分拡大断面図である。
【図２】マッサージ器の全体側面部分断面図である。
【図３】マッサージ器の平面断面図である。
【符号の説明】
【００５６】
１    マッサージ器
２    人体
５    軸心
６    ハウジング
７    可動体
９    前端部
１０  ハウジング本体
１１  後端部
１２  蓋体
２０  ソレノイド
２１  ばね
２２  接触子
２４  弾性体
２６  締結具
２７  操作者
２７ａ  手
２８  グリップ
３０  ハウジング延長部
３１  グリップ本体
３３  空洞部
３５  電線
３６  制御装置
３８  スイッチ基板
３９  スイッチ
４１  スイッチ基板
４２  スイッチ
【図１】
2009034476.tif 000003
【図２】
2009034476.tif 000004
【図３】
2009034476.tif 000005